【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
無線周波数識別（「ＲＦＩＤ」）システムに使用するためのＲＦＩＤトランスポンダであって、
データを記憶させるためのダイナミック・メモリ・アレイと、
前記ダイナミック・メモリ・アレイを含むＲＦＩＤトランスポンダに関連する回路に電力を供給するための第１の電源と、
を備え、
前記第１の電源からダイナミック・メモリ・アレイに供給されるべき電力が遮断されると、所定の時間期間の間、ダイナミック・メモリ・アレイのデータを確実に維持するように構成されるトランスポンダ。
【請求項２】
無線周波数識別（「ＲＦＩＤ」）システムに使用するためのＲＦＩＤトランスポンダであって、
データを記憶させるための一時メモリ・アレイと、
前記一時メモリ・アレイを含むＲＦＩＤトランスポンダに関連する回路に電力を供給するための第１の電源と、
を備え、
前記第１の電源から一時メモリ・アレイに供給されるべき電力が遮断されると、所定の時間期間の間、一時メモリ・アレイのデータを確実に維持するように構成されるトランスポンダ。
【請求項３】
無線周波数識別（「ＲＦＩＤ」）システムに使用するためのＲＦＩＤトランスポンダであって、
データを記憶させるための揮発性メモリ・アレイと、
前記揮発性メモリ・アレイを含むＲＦＩＤトランスポンダに関連する回路に電力を供給するための第１の電源と、
を備え、
前記第１の電源から揮発性メモリ・アレイに供給されるべき電力が遮断されると、所定の時間期間の間、揮発性メモリ・アレイのデータを確実に維持するように構成されるトランスポンダ。
【請求項４】
前記メモリ・アレイは、
ＤＲＡＭ、
ＥＥＰＲＯＭ、
ＦＲＡＭ、
ＲＡＭ、
周期的な電力の遮断のうち最長の期間よりも長い間、データを保持可能なメモリ、
信号プロセッサ、中央演算処理装置および関連するメモリのいずれかであるオンボード処理機能、
のいずれかまたはこれらの組み合わせを備える請求項１から３のいずれかに記載のトランスポンダ。
【請求項５】
前記データは、
日付スタンプ、
送信の時間を表す時刻スタンプ番号、
直交配向を示す番号、
識別子番号、
呼掛け器の参照番号、
疑似乱数または文字列、
沈黙化情報、
識別番号、
構成情報または構成設定値、
レジスタに記憶されている一時データ、
ＰＲＢＳ番号、
チョッパ設定値、
トランスポンダの識別を可能にする固有文字列、
電力モード制御、
トランスポンダが呼掛け信号を受信した順番を決定するための識別データ、
呼掛け信号が供給された時刻、
装置間で送信された情報の内容およびタイミング、
のいずれかまたはこれらの組み合わせを含むことを特徴とする請求項１から３のいずれかに記載のトランスポンダ。
【請求項６】
前記メモリは、時刻スタンプを参照し、選択的に更新されることを特徴とする請求項１から３のいずれかに記載のトランスポンダ。
【請求項７】
前記第１の電源による電力供給が遮断される間、前記メモリに電力を供給する第２の電源をさらに備えることを特徴とする請求項１から３のいずれかに記載のトランスポンダ。
【請求項８】
前記第２の電源は、キャパシタを含むことを特徴とする請求項７に記載のトランスポンダ。
【請求項９】
前記ＲＦＩＤシステムは、識別子を含む信号を提供し、
前記トランスポンダは、前記信号を受信するレシーバを含むことを特徴とする請求項１から８のいずれかに記載のトランスポンダ。
【請求項１０】
ａ）前記レシーバに応答して前記信号から前記識別子を抽出し、かつ、
ｂ）前記識別子および前記データに応答して、前記識別子をメモリ・アレイに記憶させるかどうかを決定するための信号プロセッサをさらに備えることを特徴とする請求項９に記載のトランスポンダ。
【請求項１１】
前記第１の電源は、外部から印加される電磁励振フィールドを電力に変換することによって電力を供給するように構成されることを特徴とする請求項１から３のいずれかに記載のトランスポンダ。
【請求項１２】
前記所定の時間期間は、ダイナミック・メモリ・アレイ内の漂遊漏れ経路を介したダイナミック・メモリ・アレイの放電によって決定されることを特徴とする請求項１から３のいずれかに記載のトランスポンダ。
【請求項１３】
呼掛け信号に応答し、第２の時間期間内に前記呼掛け信号を受信した場合は「有効」、前記第２の時間期間が経過した後に前記呼掛け信号を受信した場合は「無効」となる有効フラグを提供するためのタイマ手段をさらに備え、
本トランスポンダは、少なくとも第２の時間期間が経過するまでの間、ダイナミック・メモリ・アレイのデータが読出し可能状態に維持されるように構成されることを特徴とする請求項１から１２のいずれかに記載のトランスポンダ。
【請求項１４】
前記タイマ手段は、電源からの電流によって生じる電荷を蓄積するための容量セルを含み、供給されるべき電源からの電力が遮断されると、容量セルの電荷が所定の割合で放電するように構成されることを特徴とする請求項１３に記載のトランスポンダ。
【請求項１５】
前記有効フラグの状態は、前記容量セルの放電と共に減衰する電圧であって、前記タイマ手段の所定のポイントにおける電圧に基づいて設定されることを特徴とする請求項１３に記載のトランスポンダ。
【請求項１６】
前記電圧が、負荷を介して放電する際の容量セルの出力電圧であることを特徴とする請求項１５に記載のトランスポンダ。
【請求項１７】
前記容量セルは、メモリ・セルであることを特徴とする請求項１６に記載のトランスポンダ。
【請求項１８】
前記メモリ・セルは、前記メモリ・アレイの一部を形成することを特徴とする請求項１７に記載のトランスポンダ。
【請求項１９】
請求項１から１８のいずれかに記載のトランスポンダと、
呼掛けフィールドを提供し、かつ、前記トランスポンダからデータを読み出すためのトランスポンダ呼掛け器と、
を備えることを特徴とするＲＦＩＤシステム。
【請求項２０】
請求項１９に記載のＲＦＩＤシステムであって、
前記呼掛け器は、前記呼掛けフィールドの配向を逐次切り換えるように構成され、
また、前記所定の時間期間が、前記呼掛けフィールドの配向が切り換えによって、前記呼掛けフィールドがオフとなる時間より長くなるように選択されることを特徴とするＲＦＩＤシステム。
【請求項２１】
ＲＦＩＤシステムに使用される無線周波数識別（「ＲＦＩＤ」）トランスポンダにデータを格納する方法であって、
前記トランスポンダが備えているダイナミック・メモリ・アレイにデータを格納するステップと、
前記ＲＦＩＤトランスポンダに関連する第１の電源と、前記ダイナミック・メモリ・アレイを設けるステップと、
前記第１の電源から前記ダイナミック・メモリ・アレイに供給されるべき電力が遮断された後、所定の時間期間の間、前記データを前記ダイナミック・メモリ・アレイに確実に維持するステップと、
を備えることを特徴とする方法。
【請求項２２】
ＲＦＩＤシステムに使用される無線周波数識別（「ＲＦＩＤ」）トランスポンダにデータを格納する方法であって、
前記トランスポンダが備えている一時メモリ・アレイにデータを格納するステップと、
前記ＲＦＩＤトランスポンダに関連する第１の電源と、前記一時メモリ・アレイを設けるステップと、
前記第１の電源から前記一時メモリ・アレイに供給されるべき電力が遮断された後、所定の時間期間の間、前記データを前記一時メモリ・アレイに確実に維持するステップと、
を備えることを特徴とする方法。
【請求項２３】
ＲＦＩＤシステムに使用される無線周波数識別（「ＲＦＩＤ」）トランスポンダにデータを格納する方法であって、
前記トランスポンダが備えている揮発性メモリ・アレイにデータを格納するステップと、
前記ＲＦＩＤトランスポンダに関連する第１の電源と、前記揮発性メモリ・アレイを設けるステップと、
前記第１の電源から前記揮発性メモリ・アレイに供給されるべき電力が遮断された後、所定の時間期間の間、前記データを前記揮発性メモリ・アレイに確実に維持するステップと、
を備えることを特徴とする方法。
【請求項２４】
周期的な電力の遮断のうち最長の期間よりも長い間、前記メモリにデータを保持させるステップをさらに備えることを特徴とする請求項２１から２３のいずれかに記載の方法。
【請求項２５】
前記第１の電源による電力供給が遮断される間、前記メモリに電力を供給する第２の電源を設けるステップをさらに備えることを特徴とする請求項２１から２３のいずれかに記載の方法。
【請求項２６】
前記データは、
日付スタンプ、
送信の時間を表す時刻スタンプ番号、
直交配向を示す番号、
識別子番号、
呼掛け器の参照番号、
疑似乱数または文字列、
沈黙化情報、
識別番号、
構成情報または構成設定値、
レジスタに記憶されている一時データ、
ＰＲＢＳ番号、
チョッパ設定値、
トランスポンダの識別を可能にする固有文字列、
電力モード制御、
トランスポンダが呼掛け信号を受信した順番を決定するための識別データ、
呼掛け信号が供給された時刻、
装置間で送信された情報の内容およびタイミング、
のいずれかまたはこれらの組み合わせを含むことを特徴とする請求項２１から２３のいずれかに記載の方法。
【請求項２７】
前記ＲＦＩＤシステムが、識別子を含む信号を提供するステップをさらに備え、
前記トランスポンダは、前記信号を受信するレシーバを含むことを特徴とする請求項２１から２３のいずれかに記載の方法。  
【請求項２８】
前記トランスポンダが、
ａ）前記レシーバに応答して呼掛け信号から前記識別子を抽出し、かつ、
ｂ）前記識別子および前記データに応答して、前記識別子をメモリ・アレイに記憶させるかどうかを決定する信号プロセッサを備えることを特徴とする請求項２７に記載の方法。